【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
遠隔操作により外部装置を動作させる通信装置であって、
前記外部装置と無線通信する通信手段と、
前記外部装置に実行させる動作の指示を受付ける指示受付手段と、
を備え、
前記通信手段は、
前記指示受付手段が前記指示を受付けると、前記外部装置との無線接続を確立して、前記指示に対応する動作命令を前記外部装置へ送信し、
前記外部装置において前記動作命令に対応する一連の動作の一部が実行されると、残りの動作の実行完了を待つことなく前記外部装置との前記無線接続を切断する
ことを特徴とする通信装置。
【請求項２】
前記外部装置に実行させる動作が、撮影動作である場合に、
前記通信手段は、前記外部装置において撮影が開始されるより前に、前記外部装置との前記無線接続を切断することを特徴とする、請求項１に記載の通信装置。
【請求項３】
前記通信手段は、前記外部装置において撮影のための所定の動作が行われると、前記外部装置との前記無線接続を切断することを特徴とする請求項２に記載の通信装置。
【請求項４】
前記通信装置のユーザに対する通知を行う通知手段を更に備え、
前記通知手段は、前記外部装置において撮影のための前記所定の動作が行われると、前記外部装置が前記撮影を開始する以前に前記ユーザに対する通知を行うことを特徴とする請求項３に記載の通信装置。
【請求項５】
前記通信手段は、前記外部装置において撮影のための所定の動作の実行に失敗すると、前記外部装置との前記無線接続を切断することを特徴とする請求項２に記載の通信装置。
【請求項６】
前記所定の動作は、前記外部装置における撮影のための準備動作であることを特徴とする請求項３から５のいずれか１項に記載の通信装置。
【請求項７】
前記撮影動作が動画の撮影動作の場合であって、前記通信手段が前記外部装置との前記無線接続を切断した後、前記指示受付手段が動画撮影終了の動作の指示を更に受付けた場合、
前記通信手段は、
前記動画撮影終了の動作の指示を受付けると、前記外部装置との無線接続を確立して、前記指示に対応する動作命令を前記外部装置へ送信し、
前記動作命令に応じて前記外部装置における動画撮影が終了すると、前記外部装置との前記無線接続を切断し、
前記通知手段は、前記外部装置における動画撮影の終了後に前記ユーザに対する通知を行うことを特徴とする請求項４に記載の通信装置。
【請求項８】
前記外部装置に実行させる動作が撮影動作であって、かつ、前記指示受付手段が、前記撮影動作の指示を継続して受け付けている場合、
前記通信手段は、前記外部装置において前記動作命令に対応する動作の少なくとも一部が実行された後も前記外部装置との前記無線接続を継続することを特徴とする請求項１に記載の通信装置。
【請求項９】
前記指示受付手段が前記撮影動作の指示を継続して受け付けた後に、該指示を受付けなくなった場合、
前記通信手段は、前記指示を受付けなくなった後に、前記外部装置との前記無線接続を切断することを特徴とする請求項８に記載の通信装置。
【請求項１０】
前記指示受付手段が前記撮影動作の指示を継続して受け付けた後に、該指示を受付けなくなった場合、
前記通信手段は、前記指示を受付けなくなったことに対応する前記外部装置による動作に応じて前記外部装置との前記無線接続を切断することを特徴とする請求項８に記載の通信装置。
【請求項１１】
前記通信装置のユーザに対する通知を行う通知手段を更に備え、
前記通知手段は、前記外部装置において撮影のための所定の動作が行われると、継続して受け付けた前記撮影動作の指示に応じて前記外部装置が行う撮影のうち、最初の撮影の開始前にのみ前記ユーザに対する通知を行うことを特徴とする請求項８から１０のいずれか１項に記載の通信装置。
【請求項１２】
前記外部装置に実行させる動作が、撮影条件を調整するための動作である場合に、
前記通信手段は、前記外部装置が次の動作の命令を受付け可能になる前に前記外部装置との前記無線接続を切断することを特徴とする請求項１から１１のいずれか１項に記載の通信装置。
【請求項１３】
前記撮影条件を調整するための動作は、ＡＦ動作、ＡＥ動作、絞り動作のうち少なくともいずれかを含むことを特徴とする請求項１２に記載の通信装置。
【請求項１４】
前記外部装置に実行させる動作が、撮影条件を調整するための動作である場合、
前記通信手段は、前記指示受付手段が撮影動作の指示を受付けるまで前記外部装置との前記無線接続を継続することを特徴とする請求項１から１１のいずれか１項に記載の通信装置。
【請求項１５】
前記通信手段は、前記外部装置から前記一連の動作の少なくとも一部の実行に関する通知を受信し、前記通知の受信に応じて前記無線接続を切断することを特徴とする請求項１から１４のいずれか１項に記載の通信装置。
【請求項１６】
前記通信手段は、前記一連の動作の少なくとも一部の実行に関する通知を受信した場合に該受信に対する応答を前記外部装置へ送信し、その後に前記無線接続を切断することを特徴とする請求項１５に記載の通信装置。
【請求項１７】
前記通信手段は、前記一連の動作の少なくとも一部の実行に関する通知を一定期間内に受信しない場合に前記無線接続を切断することを特徴とする請求項１５又は１６に記載の通信装置。
【請求項１８】
外部装置と無線通信する通信手段と、前記外部装置に実行させる動作の指示を受付ける指示受付手段とを備え、遠隔操作により外部装置を動作させる通信装置の制御方法であって、
前記通信手段が、
前記指示受付手段が前記指示を受付けると、前記外部装置との無線接続を確立する工程と、
前記指示に対応する動作命令を前記外部装置へ送信する工程と、
前記外部装置において前記動作命令に対応する一連の動作の一部が実行されると、残りの動作の実行完了を待つことなく前記外部装置との前記無線接続を切断する工程と
を含むことを特徴とする通信装置の制御方法。
【請求項１９】
コンピュータを請求項１乃至１７のいずれか１項に記載の通信装置の各手段として機能させるための、コンピュータが読み取り可能なプログラム。
【手続補正２】
【補正対象書類名】明細書
【補正対象項目名】０００８
【補正方法】変更
【補正の内容】
【０００８】
上記課題を解決するための本発明は、遠隔操作により外部装置を動作させる通信装置であって、
前記外部装置と無線通信する通信手段と、
前記外部装置に実行させる動作の指示を受付ける指示受付手段と、
を備え、
前記通信手段は、
前記指示受付手段が前記指示を受付けると、前記外部装置との無線接続を確立して、前記指示に対応する動作命令を前記外部装置へ送信し、
前記外部装置において前記動作命令に対応する一連の動作の一部が実行されると、残りの動作の実行完了を待つことなく前記外部装置との前記無線接続を切断することを特徴とする。
【手続補正３】
【補正対象書類名】明細書
【補正対象項目名】００５９
【補正方法】変更
【補正の内容】
【００５９】
次に図５を参照して、動画撮影を終了する場合の撮像装置１００と通信装置２００の動作を説明する。まず、撮像装置１００側では、Ｓ５０１において動画撮影が継続され、かつ、Ｓ５０２においてアドバタイズパケットを送信しており、これにより撮像装置１００は通信装置２００からの接続待機状態にある。
【手続補正４】
【補正対象書類名】明細書
【補正対象項目名】００６２
【補正方法】変更
【補正の内容】
【００６２】
このようにして、レリーズボタン２０８ａの押下に応じて撮像装置１００と通信装置２００との間の無線接続が確立されると、通信装置２００の制御部２０１はＳ５２４において無線通信部２０３を制御して動作コマンドを撮像装置１００へ送信する。このときの動作コマンドは、Ｓ５２１で操作を検出したレリーズボタン２０８ａに対する操作を示すものである。Ｓ５０５において撮像装置１００の制御部１０１は、通信装置２００から送信された動作コマンドを無線通信部１１５が受信したことを検知する。このとき撮像装置１００の撮影モードが動画モードとなっており、かつ、動画撮影の継続中であるため、制御部１０１は受信した動作コマンドを動画撮影終了コマンドと認識する。そこで、制御部１０１は処理をＳ５０６に進め、撮像センサ１０３、シャッター１０４、ミラー１０５の動作を制御して動画撮影を終了する。制御部１０１は動画撮影を終了すると、処理をＳ５０７に進め、無線通信部１１５を制御して動画撮影終了の通知を通信装置２００へ送信する。その後のＳ５０８からＳ５１０までの処理は、図３のＳ３１１からＳ３１３と同様である。
【手続補正５】
【補正対象書類名】明細書
【補正対象項目名】００７１
【補正方法】変更
【補正の内容】
【００７１】
撮像装置１００側の動作としては、Ｓ１１３で無線通信を切断した後も、制御部１０１は無線通信部１１５を制御してアドバタイズパケットの送信を再開し、通信装置２００からの接続待受状態となっている。この状態でＳ３２２における無線接続要求を通信装置２００から受信すると、制御部１０１はＳ３０７で再度無線接続動作を実行する。このように、本実施形態では静止画撮影シーケンスと無線接続動作とを並列に実行するので、撮像装置１００は連続した撮影に素早く対応することが可能となる。
【手続補正６】
【補正対象書類名】明細書
【補正対象項目名】００７３
【補正方法】変更
【補正の内容】
【００７３】
仮に、ユーザによるレリーズボタン２０８ａの操作が素早く２回行われ、１枚目の静止画単写撮影シーケンスが完了する前にレリーズコマンドが送信された場合、撮像装置１００はその操作を受け付けることができない。そこで、制御部１０１は無線通信部１１５を制御して、Ｓ３１０にて操作を受け付けられなかった旨を通信装置２００に送信する。この場合、通信装置２００側ではＳ３２８にて制御部２０１が準備失敗と判定し、Ｓ３２９における通知は行われない。よって、ユーザは２回目の撮影が行われなかったことを認識できる。
【手続補正７】
【補正対象書類名】明細書
【補正対象項目名】００９６
【補正方法】変更
【補正の内容】
【００９６】
続いて行う撮像装置１００側のＳ１０１１からＳ１０１３までの処理は、図３のＳ３１１からＳ３１３までの処理と同様である。続くＳ１０１４では、制御部１０１がＳ１００９において実行した動作が成功したか否かを判定する。制御部１０１が動作が成功したと判定した場合、処理はＳ１０１５に進む。制御部１０１が動作が失敗したと判定した場合、本処理を終了する。制御部１０１は、Ｓ１０１５において、通信装置２００での動作成功の通知が終了するのを待機する。撮像装置１００側では、Ｓ１０１１で受信した応答により、通信装置２００における動作成功の通知の継続時間が予め通知されているため、Ｓ１０１１での応答受信後、当該継続時間に応じた待機時間を設定することができる。撮像装置１００は、Ｓ１０１５で通知の終了待ちをしている間はアドバタイズパケットの送信状態にあるが、次の動作コマンドは受け付けない。
【手続補正８】
【補正対象書類名】明細書
【補正対象項目名】００９７
【補正方法】変更
【補正の内容】
【００９７】
通信装置２００側では、続くＳ１０２８において、制御部２０１は、撮像装置１００の動作が成功したか否かを判定する。この場合、ＡＦ動作が成功したかを判定する。制御部２０１が動作が成功したと判定した場合に、処理はＳ１０２９に進みユーザへの通知を行う。一方、制御部２０１が動作が失敗したと判定した場合は、ユーザへの通知を行うことなく処理を終了する。
【手続補正９】
【補正対象書類名】明細書
【補正対象項目名】００９８
【補正方法】変更
【補正の内容】
【００９８】
Ｓ１０２９において制御部２０１は、撮像装置１００のＡＦ動作が成功したことをユーザに通知するため、例えば表示部２０５を制御してＬＥＤを点灯させる。ＡＦ動作が成功した場合、他の動作の成功とは区別するために、表示部２０５のＬＥＤを２回点滅させてもよい。ＬＥＤを２回点滅させる動作は、静止画の撮影準備完了の通知や、動画の撮影開始、終了の通知とも異なり、ユーザはＡＦ動作に成功したことを認識できる。或いは、他の通知方法と同じであってもよい。この場合でも、ユーザはＡＦボタン２０８ｂを操作した結果の通知であるのでＡＦ動作の成功と認識することができるからである。ユーザへの通知方法としては、ＬＥＤを点灯する以外にも、例えば振動発生部２０６を制御して所定の振動パターンにより通知する方法や、ブザー２０７を制御して所定の音声出力により通知する方法がある。所定の時間が経過すると、Ｓ１０３０において制御部２０１は表示部２０５等を制御して通知を終了する。これにより、通信装置２００側の処理を終了する。